(57)【要約】  受信機本体（１２０）に低周波信号とＲＦ信号を伝送するために使用される同軸ケーブル（６０）の接続に使用されるピンプラグコネクタ（１１０）のピンに半田付けして使用する際に、１０ピンプラグコネクタ（１１５）のピン（１１）〜（２０）に変換基板を介し、そのパターンの裏面をアンテナ信号線（９）の接続されるピン（２０）のピン挿入口（１００）を除いてグランドとし、音声などの低周波が通る音声信号ピン（１４），（１５）やマイクピン（１２）の挿入されるピン挿入口（１３４Ａ），（１３５Ａ），（１３２Ａ）の周囲を少なくとも３面は、取り囲むようにすることによって、音声信号やマイク信号からの機器に対するノイズの低減、コネクタによる高周波信号の伝送特性の改善を図るとともに、基板のレイアウトの自由度を向上する。【特許請求の範囲】
【請求項１】
１．高周波信号と低周波信号の伝送ラインを有するイヤホンアンテナを携帯型無線機本体にピンプラグコネクタを介して接続するイヤホンアンテナ接続装置であって、
上記ピンプラグコネクタのピンが挿入される各ピン挿入口が設けられた両面プリント基板から成る変換基板を備え、
上記変換基板には、その一方の面に上記ピン挿入口の周りに形成された接続ランド及び上記伝送ラインを接続する接続ランドを有する接続パターンが形成され、その他方の面は、アンテナ信号線の接続されるピンの挿入口を除いてグランドとし、低周波信号が通る信号ピンの挿入されるピン挿入口の周囲を少なくとも３面は取り囲むようにしたグランドパターンとしたことを特徴とするイヤホンアンテナ接続装置。
【請求項２】
２．中心導体をなす音声信号線及びアンテナ信号線とシールド線としてのアンテナ／音声兼用グランド線からなる上記高周波信号と低周波信号の伝送ラインとしての同軸線と、上記高周波信号と低周波信号との分離手段を介して上記同軸線の一端に接続されたイヤホンケーブルとでスリーブアンテナを構成したイヤホンアンテナを携帯型無線機本体にピンプラグコネクタを介して接続するイヤホンアンテナ接続装置であって、
上記同軸線の他端に上記ピンプラグコネクタが接続されていることを特徴とする請求の範囲第１項記載のイヤホンアンテナ接続装置。
【請求項３】
３．高周波信号と低周波信号の伝送ラインを有するイヤホンアンテナがピンプラグコネクタを用いたイヤホンアンテナ接続装置を介して接続された携帯型無線機であって、
上記イヤホンアンテナ接続装置は、上記ピンプラグコネクタのピンが挿入される各ピン挿入口が設けられた両面プリント基板から成る変換基板を備え、上記変換基板には、その一方の面に上記ピン挿入口の周りに形成された接続ランド及び上記伝送ラインを接続する接続ランドを有する接続パターンが形成され、その他方の面は、アンテナ信号線の接続されるピンの挿入口を除いてグランドとし、低周波信号が通る信号ピンの挿入されるピン挿入口の周囲を少なくとも３面は取り囲むようにしたグランドパターンとしたことを特徴とする携帯型無線機。
【請求項４】
４．中心導体をなす音声信号線及びアンテナ信号線とシールド線としてのアンテナ／音声兼用グランド線からなる上記高周波信号と低周波信号の伝送ラインとしての同軸線と、上記高周波信号と低周波信号との分離手段を介して上記同軸線の一端に接続されたイヤホンケーブルとでスリーブアンテナを構成したイヤホンアンテナを備え、
上記イヤホンアンテナ接続装置は、上記同軸線の他端に上記ピンプラグコネクタが接続されていることを特徴とする請求の範囲第３項記載の携帯型無線機。
【発明の詳細な説明】
【技術分野】
【０００１】
本発明は、ＲＦ信号と低周波信号が混在して伝送されるイヤホンアンテナ接続装置及び携帯型無線機に関する。
本出願は、日本国において２００４年７月８日に出願された日本特許出願番号２００４−２０２３２２を基礎として優先権を主張するものであり、この出願は参照することにより、本出願に援用される。
【背景技術】
【０００２】
従来より、例えば特開２００３−１６３５２９号公報等に示されているように、人体に装着して使用されるページャ、ラジオ受信機や液晶テレビジョン受像機などの携帯型無線機において、ロッドアンテナやイヤホンへ音声信号を伝送する信号線をアンテナとして利用するイヤホンアンテナが使用されている。
また、同軸線をもつアンテナを接続する場合、例えば特開平９−１９９２３７号公報等に示されているように、それ専用のコネクタを使用しており、ヘッドホンの音声信号にのってくるノイズ除去には、ヘッドホン端子下部にフェライトビーズを挿入することによって対処していた。
【発明の開示】
【発明が解決しようとする課題】
【０００３】
ところで、上述の如くＲＦ信号と低周波信号（音声信号）が混在して伝送されるイヤホンアンテナを備えた携帯型無線機では、イヤホンアンテナを携帯型無線機に接続するコネクタ部分でのノイズ対策が問題となっている。
すなわち、通常ＲＦ信号は同軸線を介して伝送されるがコネクタ部分においては、各伝送ラインがコンタクト素子で構成されるので、伝送ライン毎に個別のシールド構造を採用しようとすると、大型化してしまい、フェライトビーズを挿入する等の対策を施す必要があり、無線機の設計の制約となっていた。
そこで、本発明の目的は、上述の如き従来の問題点に鑑み、音声信号やマイク信号からの機器に対するノイズの低減、コネクタによる高周波信号の伝送特性の改善を図るとともに、基板のレイアウトの自由度を向上することにある。
本発明では、ケーブルとの接続にピンが使用されているコネクタに関して、ＲＦ信号と低周波信号が混在している場合その接続に１枚の基板を介して接続し、そのパターンを工夫することで、特性の大幅な向上を図る。
すなわち、本発明は、高周波信号と低周波信号の伝送ラインを有するイヤホンアンテナを携帯型無線機本体にピンプラグコネクタを介して接続するイヤホンアンテナ接続装置であって、上記ピンプラグコネクタのピンが挿入される各ピン挿入口が設けられた両面プリント基板から成る変換基板を備え、上記変換基板には、その一方の面に上記ピン挿入口の周りに形成された接続ランド及び上記伝送ラインを接続する接続ランドを有する接続パターンが形成され、その他方の面は、アンテナ信号線の接続されるピンの挿入口を除いてグランドとし、低周波信号が通る信号ピンの挿入されるピン挿入口の周囲を少なくとも３面は取り囲むようにしたグランドパターンとしたことを特徴とする。
本発明に係るイヤホンアンテナ接続装置は、例えば、中心導体をなす音声信号線及びアンテナ信号線とシールド線としてのアンテナ／音声兼用グランド線からなる上記高周波信号と低周波信号の伝送ラインとしての同軸線と、上記高周波信号と低周波信号との分離手段を介して上記同軸線の一端に接続されたイヤホンケーブルとでスリーブアンテナを構成したイヤホンアンテナを携帯型無線機本体にピンプラグコネクタを介して接続するイヤホンアンテナ接続装置であって、上記同軸線の他端に上記ピンプラグコネクタが接続されている。
また、本発明は、高周波信号と低周波信号の伝送ラインを有するイヤホンアンテナがピンプラグコネクタを用いたイヤホンアンテナ接続装置を介して接続された携帯型無線機であって、上記イヤホンアンテナ接続装置は、上記ピンプラグコネクタのピンが挿入される各ピン挿入口が設けられた両面プリント基板から成る変換基板を備え、上記変換基板には、その一方の面に上記ピン挿入口の周りに形成された接続ランド及び上記伝送ラインを接続する接続ランドを有する接続パターンが形成され、その他方の面は、アンテナ信号線の接続されるピンの挿入口を除いてグランドとし、低周波信号が通る信号ピンの挿入されるピン挿入口の周囲を少なくとも３面は取り囲むようにしたグランドパターンとしたことを特徴とする。
本発明に係る携帯型無線機は、例えば、中心導体をなす音声信号線及びアンテナ信号線とシールド線としてのアンテナ／音声兼用グランド線からなる上記高周波信号と低周波信号の伝送ラインとしての同軸線と、上記高周波信号と低周波信号との分離手段を介して上記同軸線の一端に接続されたイヤホンケーブルとでスリーブアンテナを構成したイヤホンアンテナを備え、上記イヤホンアンテナ接続装置は、上記同軸線の他端に上記ピンプラグコネクタが接続されている。
本発明では、受信機本体にアナログ信号とＲＦ信号を伝送するために使用されるケーブルの接続に使用されるコネクタのピンに半田付けして使用する際に、コネクタのピンに一枚のプリント基板を介し、そのパターンの裏面をアンテナ信号線の接続されるピンの挿入口を除いてグランドとし、音声などの低周波が通る信号ピンの挿入されるピン挿入口の周囲を少なくとも３面は、取り囲むようにしたことで、ＲＦ特性及び音声などのノイズ特性を著しく向上させることができる。
したがって、本発明によれば、音声信号やマイク信号からの機器に対するノイズの低減、コネクタによる高周波信号の伝送特性の改善を図るとともに、基板のレイアウトの自由度を向上することができる。
本発明の更に他の目的、本発明によって得られる具体的な利点は、以下に説明される実施の形態の説明から一層明らかにされる。
【図面の簡単な説明】
【０００４】
【図１】図１は、本発明を適用した液晶テレビジョン受像機の構成を示すブロック図である。
【図２】図２は、上記受像器本体の構成を示すブロック図である。
【図３】図３は、上記イヤホンアンテナを構成する同軸ケーブルの構造を示す図である。
【図４】図４は、上記イヤホンアンテナを構成する接続ブロックの構成を示す図である。
【図５】図５は、上記イヤホンアンテナの電気的な構成を示す回路構成図である。
【図６】図６Ａ乃至図６Ｅは、上記液晶テレビジョン受像機において受像機本体とイヤホンアンテナとを接続するピンプラグコネクタを構成するピンプラグとして使用される１０ピンコネクタプラグの構造を示す図である。
【図７】図７Ａ及び図７Ｂは、上記１０ピンコネクタプラグと組み合わされる変換基板の構造を示す図である。
【図８】図８A乃至図８Dは、モールド成形されたプラグコネクタの構造を示す図である。
【発明を実施するための最良の形態】
【０００５】
以下、本発明の実施の形態について、図面を参照して詳細に説明する。なお、本発明は以下の例に限定されるものではなく、本発明の要旨を逸脱しない範囲で、任意に変更可能であることは言うまでもない。
本発明は、例えば図１に示すような構成の液晶テレビジョン受像機１００に適用される。
この図１に示す液晶テレビジョン受像機１００は、ピンプラグコネクタ１１０を介して受像器本体１２０に接続されるイヤホンアンテナ５０を備え、イヤホンアンテナ５０により受信されるテレビジョン信号を受信機本体１２０に送り、受信機本体１２０から音声信号をイヤホンアンテナ５０を介してステレオイヤホン８０Ｌ，８０Ｒに送るようになっている。
イヤホンアンテナ５０は、一端が上記ピンプラグコネクタ１１０を介して上記受像機本体１２０に接続される同軸ケーブル６０と、この同軸ケーブル６０の他端に接続された接続ブロック７０と、この接続ブロック７０に２本のイヤホンケーブル８１，８２を介して接続されたステレオイヤホン８０Ｌ，８０Ｒからなる。
受像器本体１２０には、図２に示すように、チューナ部１２１、このチューナ部１２１に接続された中間周波信号処理部１２２、この中間周波信号処理部１２２に接続された映像信号処理部１２３及び音声信号処理部１２５、上記映像信号処理部１２３に接続された液晶表示部１２４、通信回路部１２６、上記ピンプラグコネクタ１１０を構成するコネクタ１１０Ａが設けられている。
同軸ケーブル６０は、図３に示すように、チューナ部１２１に接続されるアンテナ同軸線２４（アンテナ信号線２４Ｓ、アンテナ/音声兼用グランド線２４Ｇ）、音声信号処理部１２５に接続される音声用信号線（右）２５Ｒ、音声用信号線（左）２５Ｌ、マイク同軸線２６（マイク信号線２６Ｓ、マイクグランド線２６Ｇ）及びスイッチ線２７を備え、音声用信号線２５Ｌ、２５Ｒのグランドは、アンテナ同軸線２４のグランドと共用となっており、上記アンテナ同軸線２４及びマイク同軸線２６の外側にそれぞれ絶縁被覆された音声信号用の信号線２５Ｌ，２５Ｒ及びスイッチ線２７を巻装してなる。そして、この同軸ケーブル６０は、一端側に上記ピンプラグコネクタ１１０を構成するピンプラグ１１０Ｂが接続され、他端側に接続ブロック７０が接続されている。
接続ブロック７０は、図４に示すように、中央に設けられたグランドパターン３１、このグランドパターン３１の両側に設けられたステレオ音声信号の伝送ラインパターン３２Ｌ，３２Ｒ、及び、上記グランドパターン３１の先端側に設けられた３つの接続ランド３３Ｌ，３３Ｒ，３３Ｃ、マイク接続パターン３３Ｍ及びスイッチ接続パターン３３Ｓが形成された基板３４を備える。この基板３４には、上記ステレオ音声信号の伝送ラインパターン３２Ｌ，３２Ｒの先端部分を上記３つの接続ランド３３Ｌ，３３Ｒ，３３Ｃのうちの第１及び第２の接続ランド３３Ｌ，３３Ｒと接続する高周波チョーク３５Ｌ，３５Ｒ、上記グランドパターン３１を上記３つの接続ランド３３Ｌ，３３Ｒ，３３Ｃのうちの第３の接続ランド３３Ｃと接続する高周波チョーク３５Ｃ、上記ステレオ音声信号の伝送ラインパターン３２Ｌ，３２Ｒとグランドパターン３１とを接続するチップコンデンサ３６Ｌ，３６Ｒ、上記第１の接続ランド３３Ｌと第３の接続ランド３３Ｃとを接続するチップコンデンサ３７Ｌ及び上記第２の接続ランド３３Ｒと第３の接続ランド３３Ｃとを接続するチップコンデンサ３７Ｒが実装され、また、上記グランドパターン３１とマイク接続パターン３３Ｍ及びスイッチ接続パターン３３Ｓとグランドパターン３１の間にマイクロホン３８及びスイッチ３９が実装されている。また、上記スイッチ接続パターン３３Ｓと上記グランドパターン３１の間には、チップコンデンサ３３Ｔが実装されている。
そして、この接続ブロック７０には、左側イヤホン８０Ｌに左側音声信号を供給する２本の信号線８１Ａ，８１Ｂからなる左側イヤホンケーブル８１が上記第１の接続ランド３３Ｌと第３の接続ランド３３Ｃに接続され、また、右側イヤホン８０Ｒに右側音声信号を供給する２本の信号線８２Ａ，８２Ｂからなる右側イヤホンケーブル８２が上記第２の接続ランド３３Ｒと第３の接続ランド３３Ｃに接続されている。
また、この接続ブロック７０には、上記同軸ケーブル６０が次のように接続されている。
すなわち、上記基板３４に形成されている音声信号の伝送ラインパターン３２Ｌ、３２Ｒに上記同軸ケーブル６０の左側音声信号線２５Ｌ及び右側音声信号線２５Ｒが接続され、また、マイク同軸線２６のマイク信号線２６Ｓがマイク接続パターン３３Ｍに接続され、マイクグランド線２６Ｇがグランドパターン３１に接続されている。さらに、上記グランドパターン３１には、上記同軸ケーブル６０の同軸構造をなす中心導体及びシールド線すなわちアンテナ信号線２４Ｓ及びアンテナ/音声兼用グランド線２４Ｇが上記グランドパターン３１上に載置され、アンテナ/音声兼用グランド線２４Ｇがグランドパターン３１に接続され、アンテナ信号線２４Ｓの先端が上記第３の接続ランド３３Ｃに接続されている。
ここで、この実施の形態において、上記高周波チョーク３５Ｌ，３５Ｒ，３５Ｃとしては、フェライトビーズ、例えば村田製作所製ＢＬＭ１８ＨＤ１０２ＳＮ１  サイズ１６０８が使用されている。このフェライトビーズを用いた高周波チョーク３５Ｌ，３５Ｒ，３５Ｃは、２０ｋＨｚ以下の周波数帯域の音声信号に対してはローインピーダンスとなり、高周波信号に対してはハイインピーダンスとなって、高周波信号の通過を阻止する。また、各チップコンデンサ３６Ｌ，３６Ｒ，３７Ｌ，３７Ｒ、３３Ｔは、それぞれ１０００ｐＦの容量を有するものが使用され、２０ｋＨｚ以下の周波数帯域の音声信号に対してはハイインピーダンスとなって、音声信号の通過を阻止し、高周波信号に対してはローインピーダンスとなる。
このイヤホンアンテナ５０は、電気的な回路構成図を図５に示すように、音声信号をステレオイヤホン８０Ｌ，８０Ｒのスピーカまで伝達するのに、左又は右及びＧＮＤからなる片側それぞれ２本の信号線８１Ａ，８１Ｂ及び信号線８２Ａ，８２Ｂのイヤホンケーブル８１，８２が引き出されており、音声信号と高周波信号を分離するために、音声信号の入力部及びグランドに落ちる部分すなわち接続ランド３３Ｌ，３３Ｒ，３３Ｃ部分に、フェライトビーズを使用した高周波長チョーク３５Ｌ，３５Ｒ，３５Ｃを設け、テレビジョン放送で使用する周波数帯域において、高インピーダンス（１ｋΩ以上）また、音声周波帯域（２０ｋＨｚ以下）においては、低インピーダンスになるようにして、音声信号と高周波信号とを分離する構成とした。
また、それぞれ２本の信号線からなる各イヤホンケーブル８１，８２は、高周波信号的には上記同軸ケーブル６０の同軸構造をなす中心導体すなわちアンテナ信号線２４Ｓに接続されるため、これを音声領域的に分離されているようにするために、第１及び第２の接続ランド３３Ｌ，３３Ｒと第３の接続ランド３３Ｃの間をそれぞれ１０００ｐＦのチップコンデンサ３７Ｌ，３７Ｒで接続することにより、音声領域においてはイヤホンケーブル８１を構成している２本の信号線８１Ａ，８１Ｂ及びイヤホンケーブル８２を構成している２本の信号線８２Ａ，８２Ｂをそれぞれアンテナ信号線２４Ｓから分離し、高周波信号（テレビ帯の周波数領域）においては、イヤホンケーブル８１を構成している２本の信号線８１Ａ，８１Ｂ及びイヤホンケーブル８２を構成している２本の信号線８２Ａ，８２Ｂがそれぞれ１本のアンテナ線となるようにした。
ここで、日本におけるテレビの使用周波数帯域は、ＶＨＦで、９０Ｍ〜１０８ＭＨｚ（１〜３ｃＨ）、１７０Ｍ〜２２２ＭＨｚ（４〜１２ｃＨ）、ＵＨＦ帯で４７０Ｍ〜７７０ＭＨｚ（１３〜６２ｃＨ）である。
そこで、このイヤホンアンテナ５０は、同軸構造のアンテナ/音声兼用グランド線２４Ｇを直接グランドパターン３１に接続した構造とすることにより、同軸構造のアンテナ/音声兼用グランド線２４Ｇとアンテナ信号線２４Ｓに接続されたイヤホンケーブル８１，８２部分までで共振するスリーブアンテナ構造とし、ＶＨＦ帯の１００ＭＨｚを受信できるようにおのおの長さを設定した。
この実施の形態におけるイヤホンアンテナ５０では、同軸ケーブル６０は特性インピータンスが７５Ωの同軸構造とし、その長さを７００ｍｍとし、イヤホンケーブル８１，８２の長さを４０ｃｍとして作成し、１００ＭＨｚで共振するように調整した。２００ＭＨｚは、１λアンテナとして受信できるような構造とし、ＵＨＦにおいては、１００ＭＨｚ及び２００ＭＨｚの高調波励振（３倍波、５倍波、７倍波）を利用するようにした。
同軸ケーブル６０の音声信号用の各信号線は、上記接続ブロック７０において、１０ｐＦのコンデンサ３６Ｌ，３６Ｒを介してグランドパターン３１にそれぞれ接続され同軸ケーブル６０のシールド線２３に接続されているので、高周波信号領域においては、すべてグランドとして機能する。
この実施の形態におけるイヤホンアンテナ５０では、スリーブ構造とすることで、アンテナとして安定となり、また、接続ブロック７０には、いろいろな機能を付加することができ、この例では、携帯電話向けに、マイクロホン３８の機能が付加されている。
この液晶テレビジョン受像機１００において、上記ピンプラグコネクタ１１０を構成するピンプラグ１１０Ｂは、図６Ａ，図６Ｂ，図６Ｃ、図６Ｄ及び図６Ｅに示すような構造の１０ピンコネクタプラグ１１５と、図７に示すような構造の変換基板１３０からなり、上記イヤホンアンテナ５０を構成している同軸ケーブル６０の各線路の一端が、変換基板１３０を介して１０ピンコネクタプラグ１１５に接続されている。
変換基板１３０には、１０個のピン挿入口１〜１０が形成されており、その一方の主面１３０Ａには図７Ａに示すように、グランドピン１１が挿入されるピン挿入口１の周りに接続ランド１３１Ａが形成されたグランドパターン１３１、マイクピン１２が挿入されるピン挿入口２の周りに形成された接続ランド１３２Ａ及びマイク用接続ランド１３２Ｂを有するマイク接続パターン１３２、音声信号（右）ピン１４が挿入されるピン挿入口４の周りに形成された接続ランド１３４Ａ及び音声信号（右）用接続ランド１３４Ｂを有する音声信号（右）用接続パターン１３４、音声信号（左）ピン１５が挿入されるピン挿入口５の周りに形成された接続ランド１３５Ａ及び音声信号（左）用接続ランド１３５Ｂを有する音声信号（左）接続パターン１３５、ステレオ／モノラル検出ピン１６が挿入されるピン挿入口６の周りに形成された接続ランド１３６Ａ及びステレオ／モノラル検出用接続ランド１３６Ｂを有するステレオ／モノラル検出接続パターン１３６、スイッチピン１８が挿入されるピン挿入口８の周りに形成された接続ランド１３８Ａ及びスイッチ用接続ランド１３８Ｂを有するスイッチ接続パターン１３８、アンテナピン２０が挿入されるピン挿入口１０の周りに形成された接続ランド１４０Ａ及びアンテナ用接続ランド１４０Ｂを有するアンテナ接続パターン１４０、及びアンテナ／音声兼用グランド用ランド１４１が形成されている。
ここで、変換基板１３０の一方の主面１３０Ａに形成されているグランドパターン１３１、ステレオ／モノラル検出接続パターン１３６、アンテナ／音声兼用グランド用ランド１４１は、スルーホール１４３Ａ，１４３Ｂ，１４３Ｃを介して変換基板１３０の他方の主面１３０Ｂに形成されているグランドパターン１５０に接続されている。
また、変換基板１３０の他方の主面１３０Ｂには、図７Ｂに示すように、アンテナピン２０が挿入されるピン挿入口１０の位置を除いて、グランドパターン１５０とし、音声信号線に接続される音声信号ピン１４，１５、マイク信号線２６Ｓに接続されるマイクピン１２が挿入される各ピン挿入口１３４Ａ，１３５Ａ，１３２Ａの周囲を少なくとも３面は、取り囲むように配置することで、低周波領域でのノイズ低減及び高周波特性の向上を実現した。高周波特性（ＵＨＦ帯）で、平均１〜２ｄＢの改善を実現した。また、近くでＧＮＤ接地が必要なマイク同軸線２６も下面がグランドなので、上面のマイク信号線２６Ｓを接続するマイク用接続ランド１３２Ｂの近くにスルーホール１４３Ｄを介してグランドパターン１５０に接続したマイクグランド用接続ランド１４２を設けることにより対応可能であり、また、ステレオモノラル検出ピン１６をステレオ／モノラル検出用接続ランド１３６Ｂに接続し、ショートモードにすることで、ステレオ検出を可能にする場合も非常にやり易く、基板レイアウトの自由度向上にも役立っている。
そして、上記変換基板１３０は、そのピン挿入口１〜１０に１０ピンコネクタプラグ１１５側にあるピン１１〜２０が挿入され、ピン１１〜２０と基板１３０上の接続ランド１３１Ａ〜１４０Ａとが半田付けにて固定される。さらに、イヤホンアンテナ５０の信号線が手前のアンテナ信号線９から順次各接続ランドに半田付けされる。
さらに、この液晶テレビジョン受像機１００におけるピンプラグ１１０Ｂは、このようにして上記イヤホンアンテナ５０を構成している同軸ケーブル６０の各線路の一端が、変換基板１３０を介して１０ピンコネクタプラグ１１５に接続された後、さらに、図８Ａ。図８Ｂ、図８Ｃ及び図８Ｄに示すように、ＰＰ（ポリプロピレン）でインナーモールド２３１され、ポリエステル系の樹脂でアウターモールド２３２されて、一体形状に成形されている。なお、アンテナピン２０は、ピンの内側ではなく、外周部に設けられている。
このように、この液晶テレビジョン受像機１００では、受信機本体１２０に低周波信号とＲＦ信号を伝送するために使用される同軸ケーブル６０の接続に使用されるピンプラグコネクタ１１０のピンに半田付けして使用する際に、１０ピンプラグコネクタ１１５のピン１１〜２０に変換基板を介し、そのパターンの裏面をアンテナ信号線９の接続されるピン２０のピン挿入口１０を除いてグランドとし、音声などの低周波が通る音声信号ピン１４，１５やマイクピン１２の挿入されるピン挿入口１３４Ａ，１３５Ａ，１３２Ａの周囲を少なくとも３面は、取り囲むようにしたことで、ＲＦ特性及び音声などのノイズ特性を著しく向上させることができる。
【図１】
2006006416.tif 000002
【図２】
2006006416.tif 000003
【図３】
2006006416.tif 000004
【図４】
2006006416.tif 000005
【図５】
2006006416.tif 000006
【図６】
2006006416.tif 000007
【図７】
2006006416.tif 000008
【図８】
2006006416.tif 000009
【国際調査報告】
2006006416.tif 000010
2006006416.tif 000011